(57)【要約】【課題】車内空間における娯楽性を向上させること。【解決手段】実施形態に係るコンテンツ配信システムは、サーバ装置と、車載装置とを備える。サーバ装置は、コンテンツを配信可能に設けられる。車載装置は、車両に搭載され、サーバ装置からコンテンツを受信して表示可能に設けられる。また、サーバ装置は、取得部と、判定部とを備える。取得部は、車載装置から車両を取り巻く状況を示す車両状況を取得する。判定部は、取得部によって取得された車両状況が該当する条件に応じて車載装置が受信可能となるコンテンツを変化させる。【選択図】図２
2020056715.tif 000002
【特許請求の範囲】
【請求項１】
コンテンツを配信可能に設けられたサーバ装置と、
車両に搭載され、前記サーバ装置からコンテンツを受信して表示可能に設けられた車載装置と
を備え、
前記サーバ装置は、
前記車載装置から前記車両を取り巻く状況を示す車両状況を取得する取得部と、
前記取得部によって取得された前記車両状況が該当する条件に応じて前記車載装置が受信可能となるコンテンツを変化させる判定部と
を備えることを特徴とするコンテンツ配信システム。
【請求項２】
前記車両状況は、
前記車両の走行状態、走行履歴、および、搭乗中のユーザの属性のうちの少なくともいずれかが含まれる
ことを特徴とする請求項１に記載のコンテンツ配信システム。
【請求項３】
前記車両の走行状態は、特定のコンテンツの表示状態を含み、
前記判定部は、
前記特定のコンテンツを表示中の状態で前記車両が特定位置を走行した場合に、前記車載装置が受信可能となるコンテンツを変化させる
ことを特徴とする請求項２に記載のコンテンツ配信システム。
【請求項４】
前記判定部は、
前記車両の走行状態に基づいて該車両のエコ運転度を導出し、該エコ運転度に応じて前記車載装置が受信可能となるコンテンツを変化させる
ことを特徴とする請求項２または３に記載のコンテンツ配信システム。
【請求項５】
前記判定部は、
前記走行履歴に基づき、前記車両が直近の所定期間のうちに特定位置を走行したと判定される場合に、前記車載装置が受信可能となるコンテンツを変化させる
ことを特徴とする請求項２、３または４に記載のコンテンツ配信システム。
【請求項６】
前記判定部は、
前記走行履歴に基づき、前記車両が複数の特定位置を所定の順序通りに走行したと判定される場合に、前記車載装置が受信可能となるコンテンツを変化させる
ことを特徴とする請求項２〜５のいずれか一つに記載のコンテンツ配信システム。
【請求項７】
前記ユーザの属性は、該ユーザの嗜好性に関する情報を含み、
前記判定部は、
前記ユーザの嗜好性に応じて前記車載装置が受信可能となるコンテンツを変化させる
ことを特徴とする請求項２〜６のいずれか一つに記載のコンテンツ配信システム。
【請求項８】
前記判定部は、
前記車両が特定位置に到達し、一定時間留まったと判定される場合に、前記車載装置が受信可能となるコンテンツを初期状態へ戻す
ことを特徴とする請求項１〜７のいずれか一つに記載のコンテンツ配信システム。
【請求項９】
車両に搭載され、サーバ装置から配信されるコンテンツを受信して表示可能に設けられた車載装置であって、
前記車両が特定領域に進入した場合に、前記サーバ装置から受信済みであるコンテンツのうち、前記特定領域に対応する特定のコンテンツを自動的に表示させる表示制御部
を備えることを特徴とする車載装置。
【請求項１０】
コンテンツを配信可能に設けられたサーバ装置と、車両に搭載され、前記サーバ装置からコンテンツを受信して表示可能に設けられた車載装置とを備えるコンテンツ配信システムを用いたコンテンツ配信方法であって、
前記車載装置から前記車両を取り巻く状況を示す車両状況を取得する取得工程と、
前記取得工程によって取得された前記車両状況が該当する条件に応じて前記車載装置が受信可能となるコンテンツを変化させる判定工程と
を含むことを特徴とするコンテンツ配信方法。
【発明の詳細な説明】
【技術分野】
【０００１】
開示の実施形態は、コンテンツ配信システム、車載装置およびコンテンツ配信方法に関する。
【背景技術】
【０００２】
従来、車両に搭載されたナビゲーション機能を有する車載装置に対し、たとえばアイコンといった表示用のコンテンツを、サーバ装置から配信可能に設けられたシステムが知られている（たとえば、特許文献１参照）。
【先行技術文献】
【特許文献】
【０００３】
【特許文献１】特開２０１７−１７３１５７号公報
【発明の概要】
【発明が解決しようとする課題】
【０００４】
しかしながら、上述した従来技術は、車内空間における娯楽性を向上させるうえで、さらなる改善の余地がある。
【０００５】
具体的には、上述した従来技術では、経路案内を分かりやすく支援することを目的としており、経路案内においてユーザへ娯楽性を享受させる点については考慮されていなかった。
【０００６】
実施形態の一態様は、上記に鑑みてなされたものであって、車内空間における娯楽性を向上させることができるコンテンツ配信システム、車載装置およびコンテンツ配信方法を提供することを目的とする。
【課題を解決するための手段】
【０００７】
実施形態の一態様に係るコンテンツ配信システムは、サーバ装置と、車載装置とを備える。前記サーバ装置は、コンテンツを配信可能に設けられる。前記車載装置は、車両に搭載され、前記サーバ装置からコンテンツを受信して表示可能に設けられる。また、前記サーバ装置は、取得部と、判定部とを備える。前記取得部は、前記車載装置から前記車両を取り巻く状況を示す車両状況を取得する。前記判定部は、前記取得部によって取得された前記車両状況が該当する条件に応じて前記車載装置が受信可能となるコンテンツを変化させる。
【発明の効果】
【０００８】
実施形態の一態様によれば、車内空間における娯楽性を向上させることができる。
【図面の簡単な説明】
【０００９】
【図１】図１は、実施形態に係るコンテンツ配信方法の概要説明図である。
【図２】図２は、実施形態に係るコンテンツ配信システムの構成例を示すブロック図である。
【図３】図３は、条件情報の一例を示す図である。
【図４】図４は、アイコンＤＢの一例を示す図である。
【図５Ａ】図５Ａは、実施形態に係るコンテンツ配信処理の具体例を示す図（その１）である。
【図５Ｂ】図５Ｂは、実施形態に係るコンテンツ配信処理の具体例を示す図（その２）である。
【図５Ｃ】図５Ｃは、実施形態に係るコンテンツ配信処理の具体例を示す図（その３）である。
【図５Ｄ】図５Ｄは、実施形態に係るコンテンツ配信処理の具体例を示す図（その４）である。
【図５Ｅ】図５Ｅは、実施形態に係るコンテンツ配信処理の具体例を示す図（その５）である。
【図５Ｆ】図５Ｆは、実施形態に係るコンテンツ配信処理の具体例を示す図（その６）である。
【図５Ｇ】図５Ｇは、実施形態に係るコンテンツ配信処理の具体例を示す図（その７）である。
【図５Ｈ】図５Ｈは、実施形態に係るコンテンツ配信処理の具体例を示す図（その８）である。
【図５Ｉ】図５Ｉは、実施形態に係るコンテンツ配信処理の具体例を示す図（その９）である。
【図５Ｊ】図５Ｊは、実施形態に係るコンテンツ配信処理の具体例を示す図（その１０）である。
【図６】図６は、実施形態に係るコンテンツ配信システムのセンタサーバが実行する処理手順を示すフローチャートである。
【発明を実施するための形態】
【００１０】
以下、添付図面を参照して、本願の開示するコンテンツ配信システム、車載装置およびコンテンツ配信方法の実施形態を詳細に説明する。なお、以下に示す実施形態によりこの発明が限定されるものではない。
【００１１】
また、以下では、実施形態に係る車載装置２０が、ナビゲーション機能を有するナビゲーション装置であるものとし、かかる車載装置２０へ配信されるコンテンツが、ナビゲーション機能において自車位置を示す自車位置アイコンである場合を例に挙げて説明する。
【００１２】
また、以下では、車両を総称する場合は、「車両Ｖ」と記載し、異なる車両Ｖを表す場合については、車両Ｖ−１，Ｖ−２…のように「−ｎ」（ｎは自然数）の形式で付番する。
【００１３】
まず、実施形態に係るコンテンツ配信方法の概要について、図１を用いて説明する。図１は、実施形態に係るコンテンツ配信方法の概要説明図である。
【００１４】
図１に示すように、実施形態に係るコンテンツ配信システム１は、センタサーバ１０と、車載装置２０とを含む。
【００１５】
センタサーバ１０は、車両Ｖへ配信される各種データを管理するデータセンタＣＴによって管理・運用されるサーバ装置であり、ネットワークＮを介して車両Ｖそれぞれの車載装置２０と相互通信可能に設けられる。ネットワークＮは、たとえば携帯電話回線網等である。なお、データセンタＣＴは、たとえば車両Ｖのメーカーによって運営される。
【００１６】
車載装置２０は、車両Ｖのそれぞれに搭載され、ナビゲーション機能において自車位置アイコンとして利用可能な所定のアイコンを予め有する。ここで、かかるアイコンは、たとえば図中の車両Ｖ−１のアイコンリストＬ−１に示す「標準」アイコンであるものとする。
【００１７】
ところで、このように自車位置アイコンがたとえば「標準」アイコンで画一的である場合、車載装置２０のナビゲーション機能を利用するユーザとしては、面白味に欠けることが考えられる。
【００１８】
そこで、センタサーバ１０は、たとえば複数の自車位置アイコンを予め用意することができる。たとえばそれは、図中のアイコンリストＬ−１に示す、「標準」、「車」、「トンボ」、「下駄」の４種類の各アイコンであるものとする。
【００１９】
かかる場合、ユーザは、アイコンリストＬ−１からいずれか１つのアイコンを選択し、センタサーバ１０から該当のアイコンをダウンロードすることによって、自車位置アイコンとして利用することが可能となる。
【００２０】
これにより、ユーザに対し、たとえば４種類の自車位置アイコンの選択の自由度を与えることができる。とは言え、かかる場合でも、車両Ｖのそれぞれにおいて、自車位置アイコンとして利用可能なアイコンは画一的である。したがって、ユーザにとっては、自分の好みのアイコンがなかったり、飽きが来たりすれば、面白味に欠け、娯楽性を享受しにくいという点では変わりがない。
【００２１】
一般に、車両Ｖを取り巻く状況（以下、「車両状況」と言う）は、車両Ｖごとで異なるのが常である。車両Ｖの走行状態や走行履歴は車両Ｖのそれぞれで異なるし、ユーザの趣味嗜好や家族構成等も車両Ｖのそれぞれで異なる。
【００２２】
そこで、実施形態に係るコンテンツ配信方法では、かかる車両状況に応じて、車両Ｖごとで利用可能となる自車位置アイコンを変化させることとした。
【００２３】
具体的には、図１に示すように、実施形態に係るコンテンツ配信方法では、車両Ｖのそれぞれは、センタサーバ１０に対し、車両状況を送信する（ステップＳ１）。かかる車両状況には、車両Ｖの走行状態や走行履歴、ユーザの属性（たとえば趣味嗜好や家族構成等を示す情報）が含まれる。
【００２４】
なお、かかるステップＳ１は、ユーザが利用可能な自車位置アイコンのアイコンリストをセンタサーバ１０に要求する際に実行されてもよいし、随時実行されてもよい。
【００２５】
つづいて、センタサーバ１０は、各車両Ｖから送信された車両状況を取得する（ステップＳ２）。そして、センタサーバ１０は、取得した車両状況を解析し、所定の条件に該当するか否かを判定する（ステップＳ３）。
【００２６】
そして、センタサーバ１０は、判定結果に基づき、車両Ｖのそれぞれへ、車両状況に応じたアイコンリストを配信する（ステップＳ４）。各車載装置２０は、これを受信し（ステップＳ５）、車載装置２０にモニタ表示する。
【００２７】
たとえば図１には、車両Ｖ−２の車載装置２０に対し、車両Ｖ−２の車両状況に応じて、前述の車両Ｖ−１のアイコンリストＬ−１とは異なる、西郷隆盛を模したアイコン「西郷さん」が追加されたアイコンリストＬ−２が配信された例を示している。
【００２８】
これにより、車両Ｖ−２のユーザは、車両Ｖ−２の走行状況に応じて、自車位置アイコンについてたとえば車両Ｖ−１とは異なる娯楽性を享受することが可能となる。すなわち、実施形態に係るコンテンツ配信方法によれば、車内空間における娯楽性を向上させることができる。なお、かかる娯楽性の向上を目的とし、利用可能となるアイコンが追加される等のコンテンツ配信処理の具体例については、図５Ａ〜図５Ｊを用いて後述する。
【００２９】
以下、上述した実施形態に係るコンテンツ配信方法を適用したコンテンツ配信システム１の構成例について、より具体的に説明する。
【００３０】
図２は、実施形態に係るコンテンツ配信システム１の構成例を示すブロック図である。なお、図２では、実施形態の特徴を説明するために必要な構成要素のみを表しており、一般的な構成要素についての記載を省略している。
【００３１】
換言すれば、図２に図示される各構成要素は機能概念的なものであり、必ずしも物理的に図示の如く構成されていることを要しない。たとえば、各ブロックの分散・統合の具体的形態は図示のものに限られず、その全部または一部を、各種の負荷や使用状況などに応じて、任意の単位で機能的または物理的に分散・統合して構成することが可能である。
【００３２】
図２に示すように、コンテンツ配信システム１は、センタサーバ１０と、車載装置２０とを含む。センタサーバ１０は、たとえばデータセンタＣＴ（図１参照）に設けられ、車載装置２０は車両Ｖに搭載される。
【００３３】
まず、センタサーバ１０から説明する。センタサーバ１０は、通信部１１と、記憶部１２と、制御部１３とを有する。なお、センタサーバ１０は、センタサーバ１０を利用する管理者等から各種操作を受け付ける入力部（たとえば、キーボードやマウス等）や、各種情報を表示するための表示部（たとえば、液晶ディスプレイ等）を有してもよい。
【００３４】
通信部１１は、たとえば、ＮＩＣ（Network  Interface  Card）等によって実現される。通信部１１は、ネットワークＮと有線または無線で接続され、ネットワークＮを介して、車載装置２０との間で情報の送受信を行う。
【００３５】
記憶部１２は、たとえば、ＲＡＭ（Random  Access  Memory）、フラッシュメモリ（Flash  Memory）等の半導体メモリ素子、または、ハードディスク、光ディスク等の記憶装置によって実現され、図２の例では、記憶部１２は、条件情報１２ａと、アイコンＤＢ（データベース）１２ｂと、配信履歴情報１２ｃとを記憶する。
【００３６】
条件情報１２ａは、所定の条件ごとに追加される自車位置アイコンに関する情報である。ここで、図３は、条件情報１２ａの一例を示す図である。図３に示すように、条件情報１２ａは、たとえば、「条件式」項目と、「追加アイコンＩＤ」項目とを含む。
【００３７】
「条件式」項目には、車両Ｖから取得した車両状況のそれぞれが該当するか否かを判定するための各条件式が格納される。なお、「条件＃１」〜「条件＃３」は、それぞれ異なる条件式が格納されていることを表している。
【００３８】
「追加アイコンＩＤ」項目には、各条件式が該当する（真である）場合に追加されるアイコンの識別子が格納される。たとえば図３の例では、車両状況が条件＃１に該当した場合、ＩＤ「ｉ１」のアイコンが利用可能なアイコンとして追加される。また、車両状況が条件＃２に該当した場合、ＩＤ「ｉ２」のアイコンが利用可能なアイコンとして追加される。
【００３９】
なお、車両状況が条件＃３に該当した場合の「リセット」は、たとえば利用可能なアイコンリストがリセットされる。かかる例については、図５Ｇを用いた説明で後述する。
【００４０】
次に、アイコンＤＢ１２ｂは、各アイコンのアイコンデータを含む情報である。図４は、アイコンＤＢ１２ｂの一例を示す図である。図４に示すように、アイコンＤＢ１２ｂは、「アイコンＩＤ」項目と、「アイコン」項目と、「アイコン名称」項目とを含む。
【００４１】
「アイコンＩＤ」項目は、各アイコンの識別子が格納される項目である。「アイコン」項目は、各アイコンのイメージデータが格納される項目である。「アイコン名称」項目は、各アイコンの名称が格納される項目である。
【００４２】
たとえば図４の例では、ＩＤ「ｉ１」は、「西郷さん」のアイコンであり、ＩＤ「ｉ２」は、坂本龍馬を模した「坂本さん」のアイコンである。
【００４３】
図２の説明に戻り、つづいて配信履歴情報１２ｃについて説明する。配信履歴情報１２ｃは、センタサーバ１０が各車両Ｖに対して配信した履歴に関する情報である。
【００４４】
制御部１３は、コントローラ（controller）であり、たとえば、ＣＰＵ（Central  Processing  Unit）やＭＰＵ（Micro  Processing  Unit）等によって、センタサーバ１０内部の記憶装置に記憶されている各種プログラムがＲＡＭを作業領域として実行されることにより実現される。また、制御部１３は、たとえば、コントローラであり、ＡＳＩＣ（Application  Specific  Integrated  Circuit）やＦＰＧＡ（Field  Programmable  Gate  Array）等の集積回路により実現される。
【００４５】
図２に示すように、制御部１３は、取得部１３ａと、判定部１３ｂと、提示部１３ｃと、配信要求受付部１３ｄと、配信部１３ｅとを有し、以下に説明する情報処理の機能や作用を実現または実行する。なお、制御部１３の内部構成は、図２に示した構成に限られず、後述する情報処理を行うことができる構成であれば他の構成であってもよい。また、制御部１３が有する各処理部の接続関係は、図２に示した接続関係に限られず、他の接続関係であってもよい。
【００４６】
取得部１３ａは、車両Ｖから車両状況を取得して、判定部１３ｂへ渡す。判定部１３ｂは、取得部１３ａから受け取った車両状況を条件情報１２ａの各条件式に照らして、各条件式のいずれに該当するかを判定する。
【００４７】
また、判定部１３ｂは、判定結果を提示部１３ｃへ通知する。たとえば判定部１３ｂは、取得した車両状況が条件式のいずれかに該当した場合、かかる場合に対応するアイコンＩＤを条件情報１２ａから抽出して提示部１３ｃへ通知する。
【００４８】
提示部１３ｃは、通知された判定結果に応じてアイコンＤＢ１２ｂから該当のアイコンに関する情報を抽出し、かかる該当のアイコンを含むアイコンリストを生成する。また、提示部１３ｃは、生成したアイコンリストを通信部１１を介して車載装置２０へ向けて送信する。
【００４９】
配信要求受付部１３ｄは、車載装置２０において選択されたアイコンの配信要求を通信部１１を介して受け付ける。また、配信要求受付部１３ｄは、配信要求を受け付けた場合に、該当のアイコンを配信部１３ｅへ通知する。
【００５０】
配信部１３ｅは、配信要求受付部１３ｄからの通知を受け取った場合に、該当のアイコンをアイコンＤＢ１２ｂから抽出し、通信部１１を介して車載装置２０へ向けて配信する。また、配信部１３ｅは、配信した履歴情報を、配信履歴情報１２ｃへ記録する。
【００５１】
次に、車載装置２０について説明する。車載装置２０は、通信部２１と、記憶部２２と、制御部２３と、操作部２４と、表示部２５とを有する。操作部２４は、ユーザの各種操作を受け付ける入力部に相当する。表示部２５は、各種情報を表示する。なお、操作部２４および表示部２５は、たとえばタッチパネルディスプレイ等により実現することができる。
【００５２】
通信部２１は、上述した通信部１１と同様に、たとえばＮＩＣ等によって実現される。通信部２１は、ネットワークＮと無線で接続され、ネットワークＮを介して、センタサーバ１０との間で情報の送受信を行う。
【００５３】
記憶部２２は、上述した記憶部２２と同様に、たとえばＲＡＭ、フラッシュメモリ等の半導体メモリ素子、または、ハードディスク、光ディスク等の記憶装置によって実現され、図２の例では、記憶部２２は、走行履歴情報２２ａと、車両環境情報２２ｂとを記憶する。
【００５４】
走行履歴情報２２ａは、車載装置２０が搭載された車両Ｖの走行履歴に関する情報である。車両環境情報２２ｂは、車両Ｖの環境に関する情報であり、たとえば車両Ｖに搭乗するユーザの属性等を含む。車両環境情報２２ｂの一例については、図５Ｄを用いた説明で後述する。
【００５５】
制御部２３は、上述した制御部１３と同様に、コントローラであり、たとえば、ＣＰＵやＭＰＵ等によって、車載装置２０内部の記憶装置に記憶されている各種プログラムがＲＡＭを作業領域として実行されることにより実現される。また、制御部２３は、たとえば、ＡＳＩＣやＦＰＧＡ等の集積回路により実現される。
【００５６】
図２に示すように、制御部２３は、記録部２３ａと、受付部２３ｂと、送信部２３ｃと、受信部２３ｄと、表示制御部２３ｅとを有し、以下に説明する情報処理の機能や作用を実現または実行する。なお、制御部２３の内部構成および各処理部の接続関係は、上述した制御部１３と同様に、図２に示した例に限られない。
【００５７】
記録部２３ａは、図示略の各種センサ等からの情報に基づき、車両Ｖの走行履歴を記録し、走行履歴情報２２ａへ格納する。受付部２３ｂは、操作部２４を介してユーザからの各種操作を受け付ける。
【００５８】
受付部２３ｂは、たとえばユーザから利用可能なアイコンリストの閲覧要求を受け付ける。また、受付部２３ｂは、かかる要求を送信部２３ｃに送信させる。
【００５９】
送信部２３ｃは、アイコンリストの閲覧要求を、通信部２１を介してセンタサーバ１０へ向けて送信する。あわせて、送信部２３ｃは、走行履歴情報２２ａおよび車両環境情報２２ｂを含む車両Ｖの車両状況を、通信部２１を介してセンタサーバ１０へ向けて送信する。なお、送信部２３ｃは、アイコンリストの閲覧要求時に限らず、随時車両Ｖの車両状況を送信していてもよい。
【００６０】
受信部２３ｄは、センタサーバ１０からのアイコンリストを通信部２１を介して受信する。表示制御部２３ｅは、受信部２３ｄによって受信されたアイコンリストを表示部２５に表示させる。
【００６１】
なお、表示部２５にアイコンリストが表示された後、受付部２３ｂは、操作部２４を介してアイコンリストからのアイコンの選択操作を受け付け、該当するアイコンの配信要求を送信部２３ｃに送信させる。
【００６２】
送信部２３ｃは、かかる配信要求を通信部２１を介して送信し、受信部２３ｄが、該当のアイコンを受信する。そして、表示制御部２３ｅは、受信部２３ｄによって受信されたアイコンを表示部２５に表示させる。
【００６３】
次に、実施形態に係るコンテンツ配信処理の具体例について、図５Ａ〜図５Ｊを用いて説明する。図５Ａ〜図５Ｊは、実施形態に係るコンテンツ配信処理の具体例を示す図（その１）〜（その１０）である。なお、図５Ｄは、上述した車両環境情報２２ｂの一例を示す図となっている。また、図５Ａ〜図５Ｊに示す各具体例はあくまで一例であって、コンテンツ配信処理において用いられる各条件式やアイコン等を限定するものではない。
【００６４】
まず、車両状況に応じて利用可能（「ダウンロード可能」と読み替えても可）となるアイコンを変化させる場合の条件例について説明する。実施形態に係るコンテンツ配信処理では、たとえば、図５Ａに示すように、ユーザの自宅から所定距離以上である特定の場所Ａ〜Ｆにつき、直近ｎヶ月でｍ箇所以上、車両Ｖが訪れた場合に、利用可能なアイコンを追加させる。
【００６５】
ここで、場所Ａ〜Ｆは、緯度および経度によって一意に特定される特定地点であってもよいし、所定の範囲を有する特定領域であってもよい。なお、現在から所定の直近期間を指定することで、走行履歴が示す各位置を均等に評価するのではなく、直近に訪れた場所について高く重み付けした判定を行うことができる。
【００６６】
また、かかる特定の場所Ａ〜Ｆへの訪問を判定するあたっては、図５Ｂに示すように、たとえば訪問する順番が条件に加わっていてもよい。たとえばかかる順番をユーザに予め通知しておくことで、ユーザは言わばスタンプラリーを楽しむような娯楽性を享受することができる。なお、必ずしもユーザに通知しなくともよい。
【００６７】
また、車両Ｖが訪問した場所や、訪問の順番だけではなく、車両Ｖの状況、たとえば車両Ｖで表示中の自車位置アイコンの状態等を条件に加えてもよい。具体的には、図５Ｃに示すように、場所Ａ→Ｂ→Ｃの順番に訪問する必要があるとして、犬のアイコンが表示された状態でこれをクリアした場合にのみ、上述のアイコン「西郷さん」がダウンロード可能となるようにしてもよい。
【００６８】
なお、図５Ｄに示すように、車両環境情報２２ｂには、車両Ｖに搭乗する各ユーザの属性を予め設定あるいは随時更新することができる。図５Ｄでは、ユーザａ，ｂ，ｃそれぞれの「性別」や「年齢」、「同乗」中か否かを示すフラグ、また、「嗜好性」等が設定されている例を示している。
【００６９】
かかる例の場合、たとえばユーザａ，ｂ，ｃは同乗中であり、夫婦と推測されるユーザａ，ｂはともに歴史好きで、ユーザｂはさらに映画好き、また、娘と推測されるユーザｃはアニメ好きであることが分かる。
【００７０】
車両環境情報２２ｂにこのような設定がなされている場合、センタサーバ１０の判定部１３ｂは、たとえば歴史好きのユーザが複数名いることから、条件情報１２ａにおいて歴史上の人物に関するアイコンが追加される条件式を優先的に判定することができる。
【００７１】
また、同様に、子供が同乗していることから、条件情報１２ａにおいてアニメのキャラクターに関するアイコンが追加される条件式を優先的に判定することができる。なお、こうした判定は、たとえば条件情報１２ａに、ユーザの嗜好性に対応する「カテゴリ」項目を設けておくことで処理可能となる。
【００７２】
また、判定部１３ｂは、車両状況だけでなく、上述の配信履歴情報１２ｃを参照して、たとえば走行履歴および配信履歴の組み合わせが加わった条件判定を行ってもよい。具体的には、たとえば図５Ｅに示すように、図５Ｃの場合に加えて場所Ｄを訪問する必要があるとして、場所Ｃで「西郷さん」のアイコンをダウンロードし、かかる「西郷さん」を自車位置アイコンとして設定した状態で場所Ｄを訪問した場合にのみ、上述のアイコン「坂本さん」がダウンロード可能となるようにしてもよい。
【００７３】
また、かかる場合、図５Ｆに示すように、車載装置２０の表示部２５に「歴史好きなあなたへのお知らせ」ということで、たとえばユーザに提示するミッションに相当する内容を通知するようにしてもよい。
【００７４】
これにより、ゲーム的要素を高め、ユーザのミッションクリアに対する意欲を向上させることができる。すなわり、車内空間における娯楽性を高めることができる。
【００７５】
なお、図５Ｆに示した通知は必ずしも行う必要はなく、たとえば「坂本さん」を隠れキャラとして取り扱うようにしてもよい。かかる場合、たとえばユーザが図５Ｆに示す内容のミッションを偶然クリアした場合に、思いがけず隠れキャラである「坂本さん」がダウンロード可能となることで、ユーザに大いに娯楽性を享受させることができる。
【００７６】
また、図５Ｇに示すように、車両Ｖが特定の場所Ｐに到達し、かかる場所Ｐに一定時間留まった場合には、センタサーバ１０および車載装置２０の双方で、追加したアイコンに関する情報（たとえば、配信履歴情報１２ｃ、走行履歴情報２２ａおよび車両環境情報２２ｂ等）をリセットするようにしてもよい。これは、車両Ｖがレンタル用やカーシェアリング用である場合に、前のユーザの情報を消去し、新たに車両Ｖを利用するユーザに独自の娯楽性を享受させるうえで有用となる。
【００７７】
また、図５Ｈに示すように、判定部１３ｂは、たとえば取得した車両状況から車両Ｖのエコ運転度を解析し、エコ運転度が高かったり、継続できたりすれば、ダウンロード可能なアイコンを増やすようにしてもよい。一方で、エコ運転度が低ければ、ダウンロード可能なアイコンを減らすようにしてもよい。これにより、ユーザにエコ運転を推奨し、実行させる効果を得ることができる。
【００７８】
なお、エコ運転度は、たとえば急加速や急制動の回数、エンジンブレーキの使用率といった、車両状況に含まれる各種パラメータに基づいて導出することができる。
【００７９】
また、これまでは、車両状況が所定の条件に該当すれば、ダウンロード可能となるアイコンが追加される場合を例に挙げたが、予めダウンロード済みであるアイコンにつき、所定のトリガにより自動的に変化させるようにしてもよい。
【００８０】
具体的には、図５Ｉに示すように、車両Ｖが特定の県である「Ｈ県」に入った場合に、車載装置２０の表示制御部２３ｅが、自動的に自車位置アイコンをたとえば「トンボ」に変化させるようにしてもよい。ここで、「Ｈ県」が、たとえばトンボの名所で有名な県であれば、かかるアイコンの変化を、観光名所巡りの端緒とすることができる。また、各地のご当地キャラのアイコンに自動的に変化させるようにしてもよい。また、各地のご当地キャラのアイコンをダウンロード済みでなければ、判定部１３ｂが、車両Ｖが特定領域に入ったタイミングでダウンロード可能となるようにしてもよい。
【００８１】
また、予め特定領域を定義しておき、かかる領域中を走行した距離に応じて、表示中のアイコンや、ダウンロード可能なアイコンを変化させるようにしてもよい。具体的には、図５Ｊに示すように、たとえば上述の「Ｈ県」を特定領域としておき、かかる「Ｈ県」内を一例として１００ｋｍ以上走行したら、「トンボ」アイコンを進化版にグレードアップさせるようにしてもよい。
【００８２】
このように、特定領域を多く走行すれば特典としてアイコンがたとえばグレードアップすることにより、ユーザは娯楽性を享受できるうえ、ユーザを進んで特定領域を周遊するように誘導することができる。ひいては、かかる特定領域の観光の活性化等にも資することができる。
【００８３】
また、複数の特定領域を対象とした条件付けを行い、すべてを満たしたならば、表示中のアイコンや、ダウンロード可能なアイコンを変化させるようにしてもよい。具体的には、たとえば関西２府４県ですべての県を１０ｋｍ以上走行し、かつ、合計で１００ｋｍ以上走行したならば、特別なキャラクターのアイコンをダウンロード可能となるようにしてもよい。
【００８４】
次に、実施形態に係るコンテンツ配信システム１のセンタサーバ１０が実行する処理手順について、図６を用いて説明する。図６は、実施形態に係るコンテンツ配信システム１のセンタサーバ１０が実行する処理手順を示すフローチャートである。
【００８５】
図６に示すように、まず取得部１３ａが、車両Ｖのそれぞれから車両状況を取得する（ステップＳ１０１）。既に述べたように、車両状況には、車両Ｖの走行状態や走行履歴、ユーザの属性等が含まれる。
【００８６】
そして、判定部１３ｂが、取得した車両状況が条件情報１２ａに含まれる各種条件に該当するか否かを判定し、その結果を受けて提示部１３ｃが、車両状況が該当する条件に応じたアイコンリストを提示する（ステップＳ１０２）。
【００８７】
そして、配信要求受付部１３ｄが、車載装置２０においてアイコンリストから選択されたアイコンの配信要求を受け付ける（ステップＳ１０３）。そして、配信部１３ｅが、該当のアイコンを配信し（ステップＳ１０４）、処理を終了する。
【００８８】
上述してきたように、実施形態に係るコンテンツ配信システム１は、センタサーバ１０（「サーバ装置」の一例に相当）と、車載装置２０とを備える。センタサーバ１０は、コンテンツを配信可能に設けられる。車載装置２０は、車両Ｖに搭載され、センタサーバ１０からコンテンツを受信して表示可能に設けられる。また、センタサーバ１０は、取得部１３ａと、判定部１３ｂとを備える。取得部１３ａは、車載装置２０から車両Ｖを取り巻く状況を示す車両状況を取得する。判定部１３ｂは、取得部１３ａによって取得された車両状況が該当する条件に応じて車載装置２０が受信可能となるコンテンツを変化させる。
【００８９】
したがって、実施形態に係るコンテンツ配信システム１によれば、車内空間における娯楽性を向上させることができる。
【００９０】
また、上記車両状況は、車両Ｖの走行状態、走行履歴、および、搭乗中のユーザの属性のうちの少なくともいずれかが含まれる。
【００９１】
したがって、実施形態に係るコンテンツ配信システム１によれば、車両状況に含まれるこれら要素に応じて車載装置２０が受信可能となるコンテンツを変化させることができ、車内空間における娯楽性を向上させることができる。
【００９２】
また、車両Ｖの走行状態は、特定のコンテンツの表示状態を含み、判定部１３ｂは、かかる特定のコンテンツを表示中の状態で車両Ｖが特定位置を走行した場合に、車載装置２０が受信可能となるコンテンツを変化させる。
【００９３】
したがって、実施形態に係るコンテンツ配信システム１によれば、特定のコンテンツの表示状態に応じて車載装置２０が受信可能となるコンテンツを変化させることができ、車内空間における娯楽性を向上させることができる。
【００９４】
また、判定部１３ｂは、車両Ｖの走行状態に基づいて車両Ｖのエコ運転度を導出し、かかるエコ運転度に応じて車載装置２０が受信可能となるコンテンツを変化させる。
【００９５】
したがって、実施形態に係るコンテンツ配信システム１によれば、車両Ｖのエコ運転度に応じて車載装置２０が受信可能となるコンテンツを変化させることができる。たとえば、エコ運転度が高かったり、継続できたりすれば、ダウンロード可能なアイコンを増やし、エコ運転度が低ければ、ダウンロード可能なアイコンを減らすことによって、ユーザにエコ運転を推奨し、実行させる効果を得ることができる。
【００９６】
また、判定部１３ｂは、車両Ｖの走行履歴に基づき、車両Ｖが直近の所定期間のうちに特定位置を走行したと判定される場合に、車載装置２０が受信可能となるコンテンツを変化させる。
【００９７】
したがって、実施形態に係るコンテンツ配信システム１によれば、走行履歴が示す各位置を均等に評価するのではなく、直近に訪れた場所について高く重み付けした判定を行い、その判定結果に応じて車載装置２０が受信可能となるコンテンツを変化させることができる。
【００９８】
また、判定部１３ｂは、車両Ｖの走行履歴に基づき、車両Ｖが複数の特定位置を所定の順序通りに走行したと判定される場合に、車載装置２０が受信可能となるコンテンツを変化させる。
【００９９】
したがって、実施形態に係るコンテンツ配信システム１によれば、ユーザにスタンプラリーのような娯楽性を享受させることができる。すなわち、車内空間における娯楽性を向上させることができる。
【０１００】
また、ユーザの属性は、ユーザの嗜好性に関する情報を含み、判定部１３ｂは、かかるユーザの嗜好性に応じて車載装置２０が受信可能となるコンテンツを変化させる。
【０１０１】
したがって、実施形態に係るコンテンツ配信システム１によれば、たとえばユーザが歴史好きであれば歴史上の人物に関するコンテンツを受信可能とする等、ユーザの嗜好性に応じてコンテンツを変化させることができる。すなわち、ユーザごとに面白味があると感じられるコンテンツを提供することができ、車内空間における娯楽性を向上させることができる。
【０１０２】
また、判定部１３ｂは、車両Ｖが特定位置に到達し、一定時間留まったと判定される場合に、車載装置２０が受信可能となるコンテンツをリセットする（「初期状態へ戻す」の一例に相当）。
【０１０３】
したがって、実施形態に係るコンテンツ配信システム１によれば、車両Ｖがレンタル用やカーシェアリング用である場合に、前のユーザの情報を消去し、新たに車両Ｖを利用するユーザに独自の娯楽性を享受させるうえで有用となる。
【０１０４】
実施形態に係る車載装置２０は、車両Ｖに搭載され、センタサーバ１０から配信されるコンテンツを受信して表示可能に設けられた車載装置であって、表示制御部２３ｅを備える。表示制御部２３ｅは、車両Ｖが特定領域に進入した場合に、センタサーバ１０から受信済みであるコンテンツのうち、特定領域に対応する特定のコンテンツを自動的に表示させる。
【０１０５】
したがって、実施形態に係る車載装置２０によれば、かかるコンテンツの自動的な変化を、たとえば特定領域における観光案内等に用いることができる。
【０１０６】
なお、上述した実施形態では、車載装置２０へ配信されるコンテンツが、ナビゲーション機能において自車位置を示す自車位置アイコンである場合を例に挙げたが、無論、コンテンツを限定するものではなく、たとえば施設情報を示す各種アイコンや、地図情報のデザインを構成する各種描画要素等であってもよい。
【０１０７】
また、上述した実施形態では、車両状況には、車両Ｖの走行状態や走行履歴、ユーザの属性等が含まれることとしたが、車両Ｖを取り巻く状況を示すものであればよく、たとえば車両Ｖ周辺の気象状態等が含まれてもよい。
【０１０８】
かかる気象状態が車両状況に含まれる場合、たとえば降雨時には傘を持ったキャラクターのアイコンをダウンロード可能にしたり、気温が高い場合には服装が涼し気なものに変化したキャラクターのアイコンをダウンロード可能にしたりしてもよい。
【０１０９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１１０】
１    コンテンツ配信システム
１０    センタサーバ
１１    通信部
１２    記憶部
１２ａ  条件情報
１２ｂ  アイコンＤＢ
１２ｃ  配信履歴情報
１３    制御部
１３ａ  取得部
１３ｂ  判定部
１３ｃ  提示部
１３ｄ  配信要求受付部
１３ｅ  配信部
２０    車載装置
２１    通信部
２２    記憶部
２２ａ  走行履歴情報
２２ｂ  車両環境情報
２３    制御部
２３ａ  記録部
２３ｂ  受付部
２３ｃ  送信部
２３ｄ  受信部
２３ｅ  表示制御部
２４    操作部
２５    表示部
Ｎ    ネットワーク
Ｖ    車両
【図１】
2020056715.tif 000003
【図２】
2020056715.tif 000004
【図３】
2020056715.tif 000005
【図４】
2020056715.tif 000006
【図５Ａ】
2020056715.tif 000007
【図５Ｂ】
2020056715.tif 000008
【図５Ｃ】
2020056715.tif 000009
【図５Ｄ】
2020056715.tif 000010
【図５Ｅ】
2020056715.tif 000011
【図５Ｆ】
2020056715.tif 000012
【図５Ｇ】
2020056715.tif 000013
【図５Ｈ】
2020056715.tif 000014
【図５Ｉ】
2020056715.tif 000015
【図５Ｊ】
2020056715.tif 000016
【図６】
2020056715.tif 000017